(57)【要約】【課題】布帛を複写機で複写染色する染色方法にいて、トナーの複写模様の耐摩擦性を向上させて摩擦を受けてもトナーが落ちるのを防止する。【解決手段】布帛１の表面側に、トナーを使用する複写機２で任意の意匠模様を複写し、この複写加工後の布帛１Ａに透明転写箔７を重ね合わせ、複写意匠模様のトナーをバインダーとして、ホットスタンピング法により箔を転写する。箔転写加工後の布帛をベーキング装置６で加熱処理する。【選択図】図１
2007039829.tif 000002
【特許請求の範囲】
【請求項１】
布帛の表面側に、トナーを使用する複写機で任意の意匠模様を複写する工程と、
前記複写加工後の布帛に透明転写箔を重ね合わせ、加熱、加圧して複写意匠模様上に箔を転写する工程と、
前記箔転写加工後の布帛を加熱処理する工程、とを含むことを特徴とする、
布帛の染色方法。
【請求項２】
透明転写箔の転写加工はホットスタンピング法により行なうことを特徴とする、請求項１に記載の布帛の染色方法。
【請求項３】
透明転写箔の箔転写加工後の布帛の加熱処理はベーキング装置を用いて行なうことを特徴とする、請求項１又は２に記載の布帛の染色方法。
【請求項４】
布帛の一端に所定の巾及び長さの先導用の用紙が取付けられ、前記用紙側から前記布帛をトナーを使用する複写機に供給して任意の意匠模様を複写することを特徴とする、請求項１ないし３のいずれ１項に記載の布帛の染色方法。
【発明の詳細な説明】
【技術分野】
【０００１】
本発明は布帛の染色方法に関するものである。
【背景技術】
【０００２】
従来、例えば布帛（織物）の染色方法の１つとして、手描き友禅がある。この手描き友禅は、あらかじめ作成してある図案紙（絵摺り紙）を見ながら、意匠模様を全て手描きによって織物生地に模写して描き染めするものであり、この染色方法によれば豪華な芸術的価値のある稀少な一品作品が得られる。しかるに、この手描き友禅によると、１つの反物を染め上げるまでに数ヶ月、或いは１年以上もかかってしまうので、生産性が悪いと共に、きわめて高価になる問題を有している。
【０００３】
また、他の染色方法として、型紙を使用する型紙友禅が採用されている。この型紙友禅は、一般に次のように行なわれている。即ち、所定の大きさ、例えば約４３ｃｍ（巾）×７５ｃｍ（長さ）程度の大きさの和紙に意匠模様及び色彩を施した図案紙（絵摺り紙）を作り、この絵摺り紙をやや厚手の型紙原紙と重ね合わせた後、たとえば、赤の着色部分をナイフ等で、図柄等に合わせて切り取り、赤用の型紙を作る。この場合、赤用の型紙を複数枚作るときもある。次いで、上記のように赤色の部分だけ切り取られた絵摺り紙を別の型紙原紙と重ね合わせ、青の着色部分を切り取り、青用の型紙を作り、このような作業を繰返して色別の型紙を約２０〜１００枚程度（ときには１００枚以上の場合もある）作り上げる。そして染色する白生地を捺染台上に広げて載せると共に生地を捺染台上に接着固定する。次いで、上記生地の上に所定の型紙を順次載せ、型紙の上から型紙に応じた色の染料をハケ、シゴキ、ローラー等により生地に摺り込んで染め上げるものである。この型紙友禅によれば染め上げ時間を短縮することができる。
【０００４】
しかし、型紙友禅には次のような問題点を有している。即ち、この染色方法は多数の型紙を作る必要があるため、型紙を作る作業に手間が掛り、その製作費が高くつく。また、型紙はナイフ等で模様等に合わせて切り彫りして作るため、手描きの味を出すことはできない。さらに型紙では、ボカシや濃淡を出すことができないと共に、繊細な線模様等を現出させることが困難である。このように、型紙友禅は、手描き友禅と比べ染色作業時間は短縮できるが商品価値の面においては比較にならないほど劣っている。
【０００５】
そこで、本発明者は上述した問題点に着目し、型紙友禅と比べ生産性を一層向上させ、かつ、手描き友禅と比較しても遜色なく染色できる新規な染色方法（先行技術）を本願発明に先だって提案した。この先行技術は、染色する布帛（織物）に任意の意匠模様をトナーを使用する複写機で複写することを特徴とする染色方法である。この先行技術によれば、意匠模様を複写機で布帛に複写するものであるから生産性は向上し、かつ、ボカシや濃淡も現出することが可能になる。また、従来例のように型紙を使用することなく、図案紙、写真、その他任意の原図体に施されている意匠模様を布帛に複写するものであるから、手描きの味を表現することが可能になる。
【０００６】
しかるに、先行技術でも次のような面について改善すべき余地を有している。即ち、トナーで複写した模様等は摩擦に弱く、例えば擦るとトナー（意匠模様）が落ちることがあり、布の場合は紙に比べてさらに落ち易い。そのため、例えば和服の反物の場合においては、色（トナー）が落ちることは特に好ましくない。
【特許文献１】特開平５−３３１７８４号公報
【発明の開示】
【発明が解決しようとする課題】
【０００７】
本発明は上記のような実情に鑑み、先行技術の有する長所を活用し、トナーの複写意匠模様の耐摩擦性を向上させて定着性を安定させ、摩擦を受けてもトナーが落ちるのを防止し得る布帛の染色方法を提供することを目的とするものである。
【課題を解決するための手段】
【０００８】
上記目的を達成するため、本発明のうち１つの発明（第１の発明）は布帛の表面側に、トナーを使用する複写機で任意の意匠模様を複写する工程と、前記複写加工後の布帛に透明転写箔を重ね合わせ、加熱、加圧して複写意匠模様上に箔を転写する工程と、前記箔転写加工後の布帛を加熱処理する工程、とを含むことを特徴とする。
【０００９】
本発明において、「意匠模様」とは、動植物その他の各種の図柄や模様、或いはアルファベット，文字，記号等を含む広い概念のものとする。
また、本発明の布帛を構成する糸（繊維）の素材としては、絹，綿，毛等の天然繊維、ポリエステル，アクリル，アクリル系，ナイロン，ビニロン，ポリプロピレン，ポリクラール等の合成繊維、アセテート，プロミックス等の半合成繊維、レーヨン，キュプラ等の再生繊維等が例示できる。
【００１０】
本発明において、前記箔転写加工後の布帛を加熱処理する際の加熱温度は特に限定するものではないが、例えば約１５０℃〜約１９０℃程度の範囲を挙げることができる。
【００１１】
上記のように、複写工程後の布帛に透明転写箔を重ね合わせて加熱、加圧するとトナーをバインダー（接着剤）として箔はトナーの複写意匠模様どおりに正確に転写される。この状態のままでは、布帛を擦ったりすると、箔が剥がれて落ち易い。そこで、箔転写加工後の布帛を適当な温度で加熱処理する。この加熱処理により、箔がトナーの中に喰い込んでトナーと一緒に布帛に強固に定着する。これにより、布帛を擦ったりしても箔及びトナーが落ちるのを確実に防止する。この事実は実験により証明された。
【００１２】
本発明に使用する複写機は、トナーを使用するものであれば、その機種や型式等は特に限定はなく、任意に選択して採用することができるものであるが、例えば、富士ゼロックス社製の５０８０型や同社製のＢｒａｉｎ  Ｔｅｃｈ  ８１８０α型等が挙げられる。
上記前者の複写機は、原稿及び複写紙を機体の前方側から供給して両者を連続的に移送しながら複写し、原稿及び複写した複写紙をともに機体の後方側から送出させる機能を有している。上記後者の複写機は、スキャナーと電気的に接続し、スキャナーで読み取った画像その他の情報をメモリーに記憶し、複写機で必要部数（最大約１００枚）コピー（複写）できるもので、上記スキャナーは、原稿を機体の前方側から供給することにより連続的に移送しながらスキャンして原稿を機体の後方側から送出させる機能を有している。また、上記後者の複写機は複写紙を機体の前方側から供給して連続的に移送しながら複写し、この複写した複写紙を機体の後方側から送出させる機能を有している。さらにまた、後者の複写機は、黒と赤の二色のトナーを使用し、モード設定により原稿上の各色（赤，青，黒，その他）ごとに黒で再現するか、赤で再現するかを指定できる機能を有している。
なお、上記複写機は一例として挙げたもので、これらに限定するものではない。また、前記した黒と赤に加え、他の任意のカラートナーを使用した多色カラーの複写機を採用することもできる。
【００１３】
透明転写箔は、樹脂フィルムや紙等のベースフィルム上に転写膜を形成したものである。本発明に使用する透明転写箔は、市販のものから任意に選択して採用することができる。例えば、中井工業株式会社製の透明転写箔（商品名、透明箔、ＴＳＦ−５７８Ｊ）、麗光株式会社製の透明転写箔（商品名、友禅フィルム、ＭＣ−６３）、村田金箔株式会社製の透明転写箔（商品番号、２３ＣＦ）、御池工業株式会社製の透明転写箔（商品番号、２３ＣＦ）等を挙げることができる。なお、上記は一例として挙げたもので、これらに限定するものではないこと勿論である。
【００１４】
本発明において、透明転写箔の転写加工はホットスタンピング機を用いたホットスタンピング法により行なうことができる。ホットスタンピング機は、熱と圧とを加えて加工対象物（本発明では布帛）に転写箔（本発明では透明転写箔）を転写するもので、ロール型やフラット型等、公知の任意の型式のホットスタンピング機を採用できるが、長尺の布帛の場合には、ロール型を採用するのが好ましい。
【００１５】
本発明において、箔転写加工後の布帛の加熱処理は、ベーキング装置を用いて行なうことができる。ベーキング装置は加工対象物（本発明では布帛）を所定の温度で加熱処理するもので、公知の任意の型式のベーキング装置を採用することができる。
【００１６】
本発明のうち、他の１つの発明（第２の発明）は、第１の発明の布帛の染色方法において、布帛の一端に所定の巾及び長さの先導用の用紙が取付けられ、前記用紙側から前記布帛をトナーを使用する複写機に供給して任意の意匠模様を複写すること特徴とする。
【００１７】
第２の発明に使用する用紙の素材は特に限定されるものではなく、紙材やプラスチックフィルムその他を採用できるが、コストの面等を考慮すると、例えば一般に使用されている複写紙などが好ましい一例として挙げられる。
上記第２の発明は、例えば和服の反物等の染色方法として特に適している。
【発明の効果】
【００１８】
本発明によれば、任意の意匠模様をトナーを使用する複写機で布帛に直接複写するものであるから、自然のボカシ模様や濃淡、或いは繊細な線模様等も正確に現出することができる。そして、複写後の布帛に透明転写箔を重ね合わせて加熱、加工すると、前記模様を形成しているトナーをバインダー（接着剤）として箔は複写意匠模様どおりに転写される。次いで、箔転写加工後の布帛を適当な温度で加熱処理することにより、箔がトナーの中に喰い込んでトナーと一緒に布帛に強固に定着する。これにより、トナーの複写意匠模様の耐摩擦性は向上し、布帛を擦する等、摩擦を受けてもトナーが落ちるのを確実に防止する。
【発明を実施するための最良の形態】
【００１９】
以下、図面を参照して本発明の実施の形態の一例を説明する。
【００２０】
図１は本発明の布帛の染色方法の全体の流れ工程の概要を示すブロック図、図２は本発明の布帛の染色方法により複写機で布帛に意匠模様を複写（染色）する工程の一実施の形態を示す説明図、図３は同上複写に使用する複写機及びスキャナーの一例の概要を示す正面図、図４は同上複写に使用する原図体の一部を示す平面図（ａ）及び原図体の意匠模様をスキャナーでスキャンさせる状態を示す説明図、図５は同上染色方法により透明転写箔を布帛に転写加工する工程の一実施の形態を示す説明図、図６は同上染色方法により箔転写加工後の布帛を加熱処理する工程を示す説明図である。
【００２１】
上記図１〜図６において、１は染色する布帛、２はトナーを使用する複写機、３は複写機と電気的に接続したスキャナー、４は原図体、５はホットスタンピング機、６はベーキング装置、７は透明転写箔を示す。
【００２２】
この実施の形態（実施の形態１）は、染色する布帛１として和服用の反物生地を採用し、この反物生地を染色する方法が開示されている。布帛は常法により精錬、漂白処理した白生地が用いられている。
【００２３】
複写機２は布帛の長さ等に応じ、市販の任意の機種や型式のものを採用するもので、この実施の形態１では、大型図面用等に開発された富士ゼロックス社製のＢｒａｉｎ  Ｔｅｃｈ  ８１８０α型の複写機を採用している。この複写機２はスキャナー３とコード２０で電気的に接続され、スキャナー３で読み取った画像等の情報をメモリーに記憶し、複写機２で複写できるように構成されている。スキャナー３は原図体４を機体３１の正面側の原稿給紙部３２から供給することにより、原図体４を連続的に移送しながら原図体４に施されている意匠模様をスキャンしてメモリーに記憶し、原図体４を機体３１の後方側から送出させる機能を有している。複写機２は布帛１を機体２１の正面側の複写紙給紙部２２（手差し用の給紙部）から供給することにより布帛を連続的に移送しながら前記スキャナー３に記憶させた意匠模様を複写し、布帛１を機体２１の後方側から送出させる機能を有している。図２において２３は複写機２の前側に配置したガイド台を示す。
【００２４】
原図体４は紙やプラスチックフィルムその他の任意の素材で構成され、原図体４には図柄や模様その他の所望の意匠模様４１が施されている。この意匠模様４１を原図体４に施す手段としては、従来の図案紙と同様に手で書いたり、或いは写真そのもの又はネガフィルムから転写したり、或いは写真等を台紙（図示せず）に切り貼りしたものをコピーする等、任意の方法を採用できる。
【００２５】
上記のようにして原図体４に施した意匠模様４１を布帛１の表面に複写機２で複写（染色）するもので、この複写は模様４１を原寸大で、或いはスキャナー３又は複写機２で拡大又は縮少する等、自由に行なえる。
【００２６】
ホットスタンピング機５は、複写機２と同様に、布帛１の長さ等に応じ、ロール型やフラット型等、公知の型式のものを採用するもので、この実施の形態１ではロール型が開示されている。
ホットスタンピング機５は図５に示すように、加熱ヒータ５１を備えた加熱ロール５２と、このロール５２と対設した押圧ロール５３とを有している。そして、加熱ロール５２の温度、両ロール５２，５３の回転速度、即ち、布帛１の移送速度、両ロール５２，５３による加圧度を適当に設定（例えば、温度約１５０℃〜約１８０℃，速度約１０ｍ〜約２０ｍ／分，加圧度約２．５ｔ〜約３．５ｔ）し、布帛１に透明転写箔７を重ね合わせて両ロール５２，５３間を通過させることにより転写箔７の転写膜を布帛１に転写するものである。
なお、上記した温度、速度及び加圧度は、前記範囲に限定するものではなく、布帛に応じて任意に調整し、設定するものである。図５（ａ）において、５４はガイドロール、５５は転写箔の巻取りロールを示す。
【００２７】
ベーキング装置６は箔転写後の布帛を適当温度で加熱処理するものである。このベーキング装置６は任意の構成のものを採用することができる。この実施の形態１のベーキング装置６は図６に示すように、加熱ヒータを備え、モータ（図示せず）で回転駆動するベーキンドラム６１と、このドラム６１の下部側における両側に設けた押さえロール６２，６３と、ドラム６１の導入側に配設したテンションロール６４と、ドラム６１の送出側に設けた移送ロール６５とを備えている。そして、ドラム６１の温度、回転速度等を適当に設定（例えば、温度約１５０℃〜約１９０℃，速度約５ｍ〜約１５ｍ）し、箔転写後の布帛をドラム６１の周面に当接しながら移送し、布帛を連続的に加熱処理するものである。図６において、６６，６７，６８，６９，７０はガイドロール等を示す。
【００２８】
次に染色方法の具体的な一例につき説明する。図４に示すように、原図体４を広げて先端部をスキャナー３の給紙部３２位置決めして挿入し、スキャナー３のスタートスイッチをＯＮにすると、原図体４は連続的に移送されながら意匠模様４１が読み取られてメモリーに記憶され、機体３１の後方側から送り出される（図４ｂ参照）。
【００２９】
次いで、図２に示すように、布帛１を広げてガイド台２３上に戴置し、布帛１の先端を複写機２の手差し用の給紙部２２に位置決めして挿入すると共に、これと並行して複写機２の操作部を操作して、複写濃度及びトナーの定着温度を調整する。
そして、複写機２のスタートスイッチをＯＮにすると、布帛１は連続的に移送されながら前記記憶した意匠模様４１が布帛１に複写され、機体２１の後方側から送り出される（図２ｂ参照）。この工程により、上記複写加工後の布帛１Ａ（一次加工品）には複写意匠模様４１Ａが施される（図２ｃ参照）。
【００３０】
次いで、図５ａに示すように、複写加工後の布帛１Ａの複写意匠模様４１Ａの面側に透明転写箔７を重ね合わせ、ホットスタンピング機５（温度，速度，加圧度は設定してある）の両ロール５２，５３間を通過させることにより、複写意匠模様４１Ａのトナーをバインダーとして転写箔７の転写膜が布帛１Ａに転写させる。
上記工程により、布帛１Ａには複写意匠模様４１Ａと一致した箔づけによる意匠模様４１Ｂが施される（図５ｂ参照）。この箔転写後の布帛１Ａの意匠模様４１Ｂは外観上、透明箔（転写箔）に光沢があるが、この状態のままでは布帛を擦ったりすると箔が剥がれて落ち易い。
【００３１】
そこで、次に図６に示すように、前記箔転写加工後の布帛１Ａをベーキング装置６（温度、速度等は設定してある）に掛けて、加熱処理（ベーキング処理）し、製品とする。上記加熱処理により、意匠模様４１Ｂ上の箔がトナーに喰い込んでトナーと一緒に布帛１Ａに強固に定着する（箔の光沢は少なくなる）。これにより、布帛を擦ったりしても箔及びトナーが落ちるのを確実に防止し得る製品が得られる。なお、所望に応じ、前記ベーキング処理後の製品に毛筆等で色挿して仕上げることも自由である。
【００３２】
図７は本発明の布帛の染色方法により複写機で布帛に意匠模様を複写（染色）する工程の他の実施の形態（実施の形態２）を示す説明図である。この染色方法において、実施の形態１で既に説明した構成と共通する部分等には同一符号を付して説明を省略する。この実施の形態２は布帛を複写機で複写する工程における構成に特徴がある。
【００３３】
実施の形態２も実施の形態１と同様に染色する布帛１として和服用の反物生地を採用し、この反物生地を染色する方法が開示されている。即ち、織り上げたままの生地（布帛）は多少ゴワゴワした感じで硬さを有しているが、この生地を精錬処理して乾燥すると、硬さがなくなって、きわめて柔らかくなる。そのため、この生地（布帛）のままで複写機に供給すると、複写機内の送りローラーへの喰い込みが悪くなり、その結果、布帛の移送を整然と行なえない場合が生じる恐れがある。この場合、布帛の送りの整然性、正確性を欠除すると意匠模様にずれが生じる等、正確に複写できない恐れがある。
【００３４】
そこで、実施の形態２においては、布帛１の一端に先導用の用紙１１を取付けてある。即ち、布帛１は実施の形態１と同様に精錬、漂白処理してある。そして、布帛１の先端には、布帛１と略同巾で所定長さの複写紙等の用紙１１の基端部を接着１２して布帛１の先端に直列に延設してある。用紙１１は布帛１を複写機２に供給する際の通過案内用の先導体の役目をなさしめるもので、用紙１１の長さは適当に設定できるものであるが、例えば約１０ｃｍ〜約２０ｃｍ程度の長さがあれば上記目的を充分達成できる（但し、用紙１１の長さは上記の範囲に限定するものではない）。この用紙１１は複写後に剥離するものである。
【００３５】
実施の形態２においては、図７ｂに示すように、布帛１を広げてガイド台２３上に戴置し、布帛１の用紙１１の先端を複写機２の手差し用の給紙部２２に位置決めして挿入すると共に、これと並行して複写機２の操作部を操作して、複写濃度及びトナーの定着温度を調整する。そして、複写機２のスタートスイッチをＯＮにすると、布帛１は用紙１１に先導されて連続的に移送されながら実施の形態１と同様に意匠模様４１が布帛１に複写され、機体２１の後方側から送り出される。
上記工程により、上記複写加工後の布帛１Ａ（一次加工品）には複写意匠模様４１Ａが施される。他の工程、即ち、複写加工後の布帛に透明転写箔を転写する工程及び箔転写加工後の布帛を加熱処理する等の工程は実施の形態１と同様である。
【００３６】
次に本発明方法により実験した例を示す。なお、下記の実施例はその一部を例示したものであって、本発明を限定するものではない。
【００３７】
（実施例１）
複写機として富士ゼロックス社製のＢｒａｉｎ  Ｔｅｃｈ  ８１８０α型複写機を使用（但し、コピー色は黒一色に設定）し、また、布帛（織物）として和服用の反物生地を採用し、この布帛を実施の形態１で加工処理して染色した。
【００３８】
上記により布帛に染色（複写）された意匠模様は、ボカシや濃淡、或いは繊細な線模様等も正確、かつ、きれいに現出し、複写濃度も設定した濃度で正確に複写され、美的感覚の点においても優れていると共に布帛を擦る等、摩擦を受けてもトナーが落ちるのを確実に防止し得る製品が得られた。
【００３９】
（実施例２）
実施例１と同じ複写機及び布帛を使用し、コピー色を黒と赤の二色にモード設定する以外は実施例１と全く同様に処理して染色を実施（但し、原図体の意匠模様はカラー）した。
【００４０】
上記により、布帛には赤と黒の二色に区分けされた意匠模様が複写され、この意匠模様はボカシや濃淡、或いは繊細な線模様等も正確に現出し、複写濃度も設定した濃度で正確に複写され、赤と黒の鮮やかで、かつ、ゴージャスな意匠模様が施されていると共に布帛を擦る等、摩擦を受けてもトナーが落ちるのを確実に防止し得る製品が得られた。
【００４１】
（実施例３）
実施例１と同じ複写機で同じ条件下で布帛を実施の形態２で加工処理して染色を実施した。これにより実施例１と同様の結果が得られた。
【００４２】
（実施例４）
実施例２と同じ条件下で布帛を実施の形態２で加工処理して染色を実施した。これにより実施例２と同様の結果が得られた。
【図面の簡単な説明】
【００４３】
【図１】本発明の布帛の染色方法の全体の流れ工程の概要を示すブロック図である。
【図２】本発明の布帛の染色方法により複写機で布帛に意匠模様を複写（染色）する工程の一実施の形態を示す説明図であって、同図（ａ）は複写前の布帛の一部を示す平面図、同図（ｂ）は複写機で複写する工程を示す説明図、同図（ｃ）は複写後の布帛の一部を示す説明図である。
【図３】同上複写に使用する複写機及びスキャナーの一例の概要を示す正面図である。
【図４】同上複写に使用する原図体の一部を示す平面図（ａ）及び前記原図体の意匠模様をスキャナーでスキャンさせる状態を示す説明図である。
【図５】同上染色方法により透明転写箔を布帛に転写加工する工程の一実施の形態を示す説明図であって、同図（ａ）は転写工程を示す説明図、同図（ｂ）は箔転写加工後の布帛の一部を示す平面図である。
【図６】同上染色方法により箔転写加工後の布帛を加熱処理する工程を示す説明図である。
【図７】本発明の布帛の染色方法により複写機で布帛に意匠模様を複写（染色）する工程の他の実施の形態を示す説明図であって、同図（ａ）は複写前の布帛の一部を示す平面図、同図（ｂ）は複写機で複写する工程を示す説明図、同図（ｃ）は複写後の布帛の一部を示す説明図である。
【符号の説明】
【００４４】
１      布帛
１Ａ    複写加工後の布帛
２      複写機
５      ホットスタンピング機
６      ベーキング装置
７      透明転写箔
【図１】
2007039829.tif 000003
【図２】
2007039829.tif 000004
【図３】
2007039829.tif 000005
【図４】
2007039829.tif 000006
【図５】
2007039829.tif 000007
【図６】
2007039829.tif 000008
【図７】
2007039829.tif 000009